(57)【要約】【課題】本発明は、撮影した画像を用いた証券書類を発行可能な販売処理装置を提供することを課題とする。【解決手段】撮影部７ａ、７ｂによって、顧客や購入商品９、レジ担当者を撮影する。この撮影画像を合成した、レシートや領収書等の証券書類を発行する。これにより、信頼性の高い証券書類を発行することができる。またレジの信頼性も向上させることが出来る。更に、顧客は証券書類から後日容易に取引内容が把握できるので、高い満足度を与えることができる。【選択図】    図１
2005018121.tif 000002
【特許請求の範囲】
【請求項１】
顧客が購買の為に選択した購入商品を入力し、売上代金を決済する販売処理装置において
前記決済の操作に連動して画像を撮影する撮影手段と、
前記撮影手段が撮影した画像を前記決済によって発行される証券書類に出力する出力手段と、
を備えることを特徴とする販売処理装置。
【請求項２】
前記出力手段が発行する前記証券書類は、レシート又は領収書の少なくとも一方であることを特徴とする請求項１に記載の販売処理装置。
【請求項３】
前記撮影手段が撮影する画像は、前記販売処理装置を操作する操作者、前記顧客又は前記購入商品の少なくとも１つであることを特徴とする請求項１又は２に記載の販売処理装置。
【請求項４】
前記撮影手段は、複数の画像を撮影し、該複数の画像それぞれに対して前記証券書類を出力する際に用いるか否かを選択する選択手段を更に備えることを特徴とする請求項１乃至３の何れか１つに記載の販売処理装置。
【請求項５】
顧客が購買の為に選択した購入商品を入力し、売上代金を決済する販売処理装置内で実行されるプログラムであって、
前記決済の操作に連動して画像を撮影する機能と、
前記撮影した画像を前記決済によって発行される証券書類に出力する機能と、
を実現するプログラム。
【発明の詳細な説明】
【０００１】
【発明の属する技術分野】
本発明は、電子式キャッシュレジスタ等の顧客が購買の為に選択した商品を入力し、売上代金を決済する販売処理装置に関し、更に詳しくは、画像を扱う機能を備えた販売処理装置に関する。
【０００２】
【従来の技術】
近年、電子式キャッシュレジスタ（ＥＣＲ）等の販売処理装置には、販売した商品の記録を示すレシートの他に領収書を印刷する機能を備えたものが登場してきている。また撮影手段を備え、撮影画像を扱う機能を備えた販売処理装置が提案されている。
【０００３】
例えば特許文献１には、カメラによって顧客の画像を撮影して撮影画像を取り込み、この顧客が次に来店した時に、顧客情報を確認する為にこの画像を表示して顧客の顔を確認することが出来る販売処理装置が開示されている。また特許文献１の販売処理装置では、商品の画像データを予め記憶しておき、顧客が希望したカタログをこの画像データを用いて出力することができる機能が開示されている。
【０００４】
【特許文献１】
特許第２８３２９３６号公報（第３段落第７−１９行目、第２図）
【０００５】
【発明が解決しようとする課題】
現在実現されている、或いは提案されている販売処理装置には、決済を行う操作に連動して画像を撮影することは行われておらず、更にこの際に撮影された画像を用いた証券書類に印刷できる機能を備えたものは存在しなかった。
【０００６】
本発明は、上記機能を実現した販売処理装置を提供することを課題とする。
また発行するレシートの信頼性を向上させ、更にはレジのセキュリティを向上させた販売処理装置を提供することを課題とする。
【０００７】
【課題を解決するための手段】
本発明による販売処理装置は、顧客が購買の為に選択した購入商品を入力し、売上代金を決済することを前提とし、上記課題を解決する為、撮影手段及び発行手段を備える。
【０００８】
撮影手段は、例えば前記販売処理装置を操作する操作者、前記顧客又は前記購入商品等の画像を前記決済の操作に連動して撮影する。
出力手段は、前記撮影手段が撮影した画像を、例えばレシートや領収書などの証券書類に印刷出力する。
【０００９】
この構成により、撮影手段が撮影した画像を用いた証券書類を発行することができる。
また前記撮影手段は、複数の画像を撮影し、該複数の画像それぞれに対して前記証券書類を発行する際に用いるか否かを選択する選択手段を更に備える構成とすることもできる。
【００１０】
この構成により、必要に応じたフレキシブルなレイアウトの証券書類を発行することができる。
また、本発明は販売処理装置内で実行されるプログラムもその範囲に含む。
【００１１】
【発明の実施の形態】
以下に本発明の一実施形態を図面を参照しながら説明する。
以下の説明では、本発明による販売処理装置の一実施形態としてレシート及び領収書を印刷出力することができる電子式キャッシュレジスタを例として説明する。
【００１２】
図１は、本実施形態におけるキャッシュレジスタの外観を示す斜視図である。
図１のキャッシュレジスタ１は、キャッシュレジスタ１を操作するレジ担当者に向けて入力した購入商品の商品名等各種の情報を示すための画面を表示する表示部２ａ、顧客に向けて支払い金額等を表示する為の表示部２ｂ、各種の情報をキャッシュレジスタ１に入力するための複数の入力キー３、印刷されたレシートや領収書５が排出される排出部４及び金銭を格納するドロアー６を前面に備えている。また購入商品の入力用のバーコード読み取り器を備える構成としても良い。
【００１３】
また図１のキャッシュレジスタ１は、その外観上の大きな特徴として、静止画像を撮影する２つの撮影部７ａ、７ｂを備えている。キャッシュレジスタ１は、この２つの撮影部７ａ、７ｂによって、顧客とその購入商品、及びキャッシュレジスタ１を操作するレジ担当者を撮影する。撮影部７ａは、キャッシュレジスタ１の前面に立っている顧客及びキャッシュレジスタ１の脇に備えられているテーブル８上に置かれた購入商品９を撮影するものである。また、撮影部７ｂは、このキャッシュレジスタ１を操作しているレジ担当者を撮影するものである。
【００１４】
尚この撮影部７ａは向きを変更することが出来、顧客を撮影する場合とその顧客の購入商品９を撮影する場合とでは自動的に撮影方向を変える。またレジ担当者も、撮影部７ａが担当者の方向へ撮影方向を変えて撮影するように構成しても良い。この場合には、撮影部７ｂは不要となる。
【００１５】
尚この撮影部７ａ、７ｂによる撮影距離や撮影環境は常時ほぼ同じなので、撮影部７ａ、７ｂは複雑な焦点や露出用の機構を設けずに実現することができる。
図２は、図１のキャッシュレジスタの内部構成を示すブロック図である。
同図では、キャッシュレジスタ１は、上記した表示部２（２ａ，２ｂ）及び撮影部７（７ａ，７ｂ）の他に、ＣＰＵ１０、印刷部１１、ＲＯＭ１２、ＲＡＭ１３、入力部１４及びインタフェース（Ｉ／Ｆ）１５を有し、これらがバス１６を介して接続されて相互にデータの授受が行なえる構成となっている。
【００１６】
ＣＰＵ１０は、中央演算処理装置であり、ＲＯＭ１２内の制御プログラムを実行することでキャッシュレジスタ１全体を統合的に制御する。ＲＯＭ１２は、ＣＰＵ１０によって実行される制御プログラム等が記憶されている読み出し専用メモリである。ＲＡＭ１３は、ＣＰＵ１０が作業領域が展開されるランダムアクセスメモリである。またこのＲＡＭ部１３には、撮影部７によって撮影された画像の画像データが記録される。
【００１７】
表示部２は、ＣＰＵ１０からの指示に応じて、入力部１４から入力された商品の商品名や金額などを含む画面を表示する。
印刷部１１は、ＣＰＵ１０からの制御指示に基づいて、レシートや領収書を印刷して出力する。
【００１８】
撮影部７は、ＣＰＵ１０からの指示に基づき静止画像を撮影し、撮影画像をデジタルデータに変換した後、ＲＡＭ１３に保存する。
入力部１４は、レジ担当者等の操作者が金額等の入力を行なう部分で複数の入力キー３やバーコード読み取り器を備えている。そして操作者によって何れかの入力キー３が押下されたりバーコード読み取り器によって商品のバーコードを読み取ると、その押下された入力キー３や読み込んだバーコードに対応するデータをＣＰＵ１０へ通知する。
【００１９】
インタフェース１５は、ネットワークインタフェースで、店舗内のネットワークと接続され、メインコンピュータ等とデータ交換を行なう。
このような構成のキャッシュレジスタ１による一連の動作を以下に説明する。
まず買い物を行なう顧客は、購入する商品を選んだ後、支払いを行なうために、選んだ商品をレジに持ってゆく。
【００２０】
レジ担当者は、キャッシュレジスタ１を用いて置数処理を開始する前に、領収書が必要かどうか、またレジ担当者、顧客、購入商品の画像の撮影を行なうかどうかを尋ね、顧客の要望に基づいてレジ担当者、顧客及び購入商品の撮影を行なうか否かを入力キー３によって入力し、この入力結果に基づいてＣＰＵ１０はＲＭ１３上の後述する撮影の指定の設定を行なう。
【００２１】
顧客がレジ担当者の撮影を希望した場合、レジ担当者が入力キー３による置数やバーコード読み取り器を用いて購入商品とその代金をキャッシュレジスタ１に入力すると、最初の商品の入力が行なわれたときに、レジ担当者が撮影部７ｂによって自動的に撮影され、キャッシュレジスタ１に記録される。この処理は、各顧客毎に毎回行なわれる。
【００２２】
全ての購入商品の入力が終わり、レジ担当者が締めキーを押下すると、撮影部７ａはテーブル８上の購入商品９を自動的に撮影し、画像データを取り込む。そしてこの購入商品の画像に購入商品の明細データと合成した画像データを生成し、これを用いたレシートを印刷部１１によって印刷出力する。
【００２３】
図３は、キャッシュレジスタ１によって印刷出力されるレシートの一例を示す図である。尚同図は一例であり、本実施形態のキャッシュレジスタ１で出力されるレシートの構成はこれに限るものではない。
同図に示すレシート２０には、店名や住所等の店についての情報２１、購入商品の明細情報２２、合計金額やつり銭金額等の情報２３、レジの担当者についての情報を示す担当者蘭２４が印刷されている。
【００２４】
このうち、購入商品の明細情報２２部分には、購入商品の名称や価格等の明細データに撮影部７ａによって直前に撮影した商品の画像が合成されて印刷されている。またレジの担当者についての情報２４部分には、担当者名の他に、撮影部７ｂによって直前に撮影した担当者の画像が印刷されている。
【００２５】
尚顧客が購入商品やレジ担当者の画像が印刷されるのを望まない場合には、明細情報２２部分は、購入商品の名称や価格等の情報のみが印刷され、担当者欄２４には、レジ担当者の名前のみが印刷される。
このように、このレシート２０は、購入した商品の画像が印刷されているので、顧客は後にレシート２０を見た時どのような商品を購入したかが分かり易い。また、返品やレジの入力ミスの際にも間違いを容易に確認することが出来、顧客に対するより良いサービスを提供することができる。
【００２６】
更にレシートには処理を行ったレジ担当者を直前に写した画像が印刷されるので、レシートに対する信頼性が向上し、またレジの不正使用などに対するセキュリティも向上する。
次に、領収書を発行する場合の動作について説明する。
【００２７】
顧客が領収書の発行を求め、且つ顧客の撮影を希望した場合、レシートを印刷後に撮影部７ａは顧客に向けて顧客を撮影する。そして、この顧客の画像と、レシート発行時に用いた商品とレジ担当者の画像を用いて領収書を発行する。
図４は、キャッシュレジスタ１によって印刷出力される領収書の一例を示す図で、同図（ａ）は撮影画像を用いた場合、同図（ｂ）は撮影画像を用いなかった場合の領収書の例である。尚同図は一例であり、本実施形態のキャッシュレジスタ１で出力される領収書の構成はこれに限るものではない。
【００２８】
同図（ａ）の領収書３０ａでは、受取人蘭３１ａに直前に撮影部７ａで撮影した顧客の画像、購入した商品を記載する商品コメント蘭３２には購入した商品の画像が印刷されており、また担当者蘭３３にはレジ担当者の撮影画像がその氏名と共に印刷されている。
【００２９】
尚顧客が同図（ａ）のような画像が印刷された領収書を望まない場合には、同図（ｂ）に示したような画像を用いない領収書を印刷出力する。
また顧客が、項目によって画像を用いないよう要求した場合には、その部分のみに画像を用いない領収書を発行することができる。
【００３０】
例えば、顧客が自分の画像を用いないように要求した場合には、図４（ａ）の領収書の受取人蘭３１ａの代わりに、同図（ｂ）の画像を用いない受取人蘭３１ｂが印刷される。同様に購入商品の画像を用いない場合には、商品コメント蘭３２ａの代わりに画像を用いない商品コメント蘭３２ｂが、担当者の画像を用いない場合には担当者蘭３２ａの代わりに画像を用いない担当者蘭３３ｂが印刷された領収証を発行する。
【００３１】
このように本実施形態のキャッシュレジスタ１によって発行される領収書は、顧客や購入した商品、処理を行った担当者の画像が印刷されているので信頼性が向上する。
またこの領収書には、購入商品や顧客の画像が印刷されているので、取引の内容が顧客や店側には無論、第三者に対しても明確になる。
【００３２】
更に処理を行った担当者の画像も印刷されるので、レジの不正使用などに対するセキュリティも向上する。
図５は、キャッシュレジスタ１のメモリ領域の構成を示す図である。
同図に示した各メモリ領域は、ＣＰＵ１０によってＲＡＭ１３上に設けられるもので、集計メモリ４１、画像メモリ４２、領収メモリ４３及び明細メモリ４４に大別される。
【００３３】
集計メモリ４１は、このキャッシュレジスタによって販売した売上の集計値を記憶するメモリで、商品や顧客の種類毎に値が集計されて記憶されている。画像メモリ４２は、撮影部７で撮影した顧客、商品、レジ担当者の画像を記憶するもので、顧客、商品及びレジ担当者の３つの領域に分かれている。また各領域は画像データ領域４２３に画像データが記憶されているかどうかを示す値を記憶するフラグ４２１、画像を撮影するかどうかを示す撮影の指定を記憶する条件４２２及び撮影された画像データを格納する画像データ領域４２３を持つ。このうち条件４２２は、例えばレジ担当者が正社員かアルバイトか等の条件に基づいて事前に設定されており、また顧客の希望に基づく入力キー３からの入力によって書き換わる。合計メモリ４３は、合計値が記録される。明細メモリ４４は、代金決済を行なう際にキャッシュレジスタ１に入力された商品やその金額が記憶される。
【００３４】
ＣＰＵ１０は、ＲＯＭ１２内の制御プログラムに従って、入力された商品を明細メモリ４４に、また撮影した画像データを画像メモリ４２に記憶してゆく。そして、レシートや領収書を発行する際には、これらのデータを用いて印刷発行を行ない、代金決済が完了したら明細メモリ４４内の情報を集計メモリ４１に集計する。
【００３５】
図６は、レジ担当者を撮影する際のキャッシュレジスタ１の動作処理を示すフローチャートである。同図の処理は、ＣＰＵ１１がＲＯＭ１２内の制御プログラムを実行することにより実現される。
同図において、まずステップＳ１として画像メモリ４１内の画像データをクリアする。
次にステップＳ２として入力キー３による置数処理、若しくはバーコード読み取り器を用いて商品の入力を開始されると、ＣＰＵ１０は入力部１４からの通知に基づいて、入力された商品を明細メモリ４４に記憶してゆく。またこの入力が開始されると、画像メモリ４２の担当者領域の条件４２２ａを調べ、担当者撮影の指定が無ければ（ステップＳ３、ＮＯ）、レジ担当者の撮影処理を終了する。
【００３６】
ステップＳ３で担当者撮影の指定があれば（ステップＳ３、ＹＥＳ）、撮影部７ｂによってレジ担当者を撮影し、ステップＳ５として撮影した担当者画像をステップＳ１でクリアした画像メモリ４２の画像データ領域４２３ａへ記録し、フラグ４２１ａを画像有りにした後、レジ担当者の撮影処理を終了する。
【００３７】
図７は、レシートを印刷出力する時のキャッシュレジスタ１の動作処理を示すフローチャートである。同図の処理も、ＣＰＵ１１がＲＯＭ１２内の制御プログラムを実行することにより実現される。
同図の処理は、レジ担当者によって入力キー３の１つである締めキーが押下されることによって開始される。
【００３８】
締めキーが押下されると、明細メモリ４４内の購入商品の価格の合計値が計算されると共に合計メモリ４３に記憶される。このとき、レシート印刷処理として画像メモリ４２内の商品領域の条件４２２ｂを参照し（ステップＳ１１）、商品画像の撮影指定があるかどうかを判断する。ここで撮影指定が無ければ（ステップＳ１１、ＮＯ）、レシートに商品画像を用いないので、ステップＳ１７として明細メモリ内の明細データをレシートに印刷した後、処理をステップＳ１８に移す。
【００３９】
またステップＳ１１で撮影指定があれば（ステップＳ１１、ＹＥＳ）、ステップＳ１２として、撮影部７ａによってテーブル８上の商品９を撮影し、ステップＳ１３として商品画像を画像メモリ４２の商品画像データ領域４２３ｂに記憶する。またこの時フラグ４２１ｂを画像有りにする。
【００４０】
次にステップＳ１４として撮影した商品画像を明細メモリ４４内のデータ数、即ち購入した商品の数（同一商品を複数購入した場合は、購入商品の種類数）に応じて、拡大／縮小する。
この商品画像は、図３の基準座標座標Ｒ１（ｘｒ１，ｙｒ１）、横ｌＲ１、縦ｍＲ１（ｍＲ１は、購入商品の数によって変化）で決まる明細情報２２の範囲の領域に印刷され、この明細情報２２の領域は購入した商品の数によって大きさが変化するので、それに合わせて商品画像を拡大／縮小する。
【００４１】
そしてステップＳ１４で大きさを明細情報２２の領域に合わせた商品画像を、明細データと合成し（ステップＳ１５）、ステップＳ１６として店名や住所等の店についての情報２１に続いてステップＳ１５で合成した画像を印刷する。
次にステップＳ１８として画像メモリ４２内の担当者領域のフラグ４２１ａを参照し、レジ担当者の画像が撮影されて画像データ領域４２３ａに格納されているかどうかを判断する。ここで画像データが無ければ（ステップＳ１８、ＮＯ）、レシートにレジ担当者の画像を用いないので、合計金額やつり銭金額等の情報２３を印刷した後、ステップＳ２１としてレシートの担当者蘭２４に担当者名を印刷した後処理をステップＳ２２に移す。この時、担当者蘭２４は、基準座標Ｒ２（ｘｒ２，ｙｒ２）から横ｌＲ２ｂ、縦ｍＲ２ｂの範囲の領域に形成される。
【００４２】
またステップＳ１８で画像データがあれば（ステップＳ１８、ＹＥＳ）、ステップＳ１９として担当者名と担当者画像を合成し、ステップＳ２０として合計金額やつり銭金額等の情報２３に続いてステップＳ１９で合成した画像を担当者蘭２４に印刷する。この時、担当者蘭２４は、基準座標Ｒ２（ｘｒ２，ｙｒ２）から横ｌＲ２ａ、縦ｍＲ２ａの範囲の領域に形成される。
【００４３】
この後、ステップＳ２２として明細メモリ内のデータを集計メモリへ累計し、ステップＳ２３として明細メモリをクリアした後、印刷部１１でレシートをカットして排出部４から排出する（ステップＳ２４）。
図８は、領収書を印刷出力する時のキャッシュレジスタ１の動作処理を示すフローチャートである。同図の処理もまた、ＣＰＵ１１がＲＯＭ１２内の制御プログラムを実行することにより実現される。
【００４４】
同図の処理は、レジ担当者によって入力キー３の１つである領収書キーが押下されることによって開始される。
領収書キーが押下されると、ステップＳ３１として、画像メモリ４２内の顧客領域の条件４２２ｃを参照し、顧客撮影の指定が有るかどうか、即ち領収書に顧客の画像を用いるかどうかを判断する。そして顧客撮影の指定が無ければ（ステップＳ３１、ＮＯ）、ステップＳ３５として画像を用いない領収書の受取人欄３１ｂを領収書の印刷データ中に形成した後処理をステップＳ３６に移す。この時、受取人欄３１ｂは、基準座標Ｐ１（ｘ１，ｙ１）から横ｌ１ｂ、縦ｍ１ｂの範囲の領域に形成される。
【００４５】
ステップＳ３１において、顧客撮影の指定が有れば（ステップＳ３１、ＹＥＳ）、ステップＳ３２として顧客を撮影部７ａによって撮影し、これを画像メモリ４２の画像データ領域４２３ｃに記録する。そしてこの画像を受取人蘭３１に合成して画像を用いた領収書の受取人欄３１ａを領収書の印刷データ中に形成する（ステップＳ３４）。この時、受取人欄３１ａは、基準座標Ｐ１（ｘ１，ｙ１）から横ｌ１ａ、縦ｍ１ａの範囲の領域に形成される。
【００４６】
次に、ステップＳ３６として画像メモリ４２のフラグ４２１ａを参照し、レジ担当者の画像が撮影されて画像データ領域４２３ａに格納されているかどうかを判断する。ここで画像データが無ければ（ステップＳ３６、ＮＯ）、生成する領収証にレジ担当者の画像を用いないので、ステップＳ３８として画像を用いない担当者欄３３ｂを領収書の印刷データ中に形成した後処理をステップＳ３８に移す。この時、担当者欄３３ｂは、基準座標Ｐ２（ｘ２，ｙ２）から横ｌ２ｂ、縦ｍ２ｂの範囲の領域に形成される。
【００４７】
またステップＳ３６でレジ担当者の画像データがあれば（ステップＳ３６、ＹＥＳ）、ステップＳ３７としてこの担当者画像と担当者名を合成し、画像を用いた担当者欄３２ａを領収書の印刷データ中に形成する。この時、担当者欄３２ａは、基準座標Ｐ２（ｘ２，ｙ２）から横ｌ２ａ、縦ｍ２ａの範囲の領域に形成される。
【００４８】
次にステップＳ３９として画像メモリ４２のフラグ４２１ｂを参照し、購入商品の画像が撮影されて画像データ領域４２３ｂに格納されているかどうかを判断する。ここで画像データが無ければ（ステップＳ３９、ＮＯ）、生成する領収証に購入商品の画像を用いないので、ステップＳ４１として画像を用いない商品コメント蘭３２ｂを生成する。この時、商品コメント蘭３３ｂは、基準座標Ｐ３（ｘ３，ｙ３）から横ｌ３ｂ、縦ｍ３ｂの範囲の領域に形成される。
【００４９】
またステップＳ３９で購入商品の画像データが画像メモリ４２内にあれば（ステップＳ３９、ＹＥＳ）、ステップＳ４０としてこの購入商品と商品コメント蘭を合成し、画像を用いた商品コメント蘭３３ａを領収書の印刷データ中に形成する。この時、担当者欄３３ａは、基準座標Ｐ３（ｘ３，ｙ３）から横ｌ３ａ、縦ｍ３ａの範囲の領域に形成される。
【００５０】
そして、ステップＳ４１として領収書のその他の欄を領収書フォームに合わせて形成して領収書の印刷データを完成させた後、ステップＳ４２として印刷データによって領収書を印刷出力し、ステップＳ４３として合計メモリ４３をクリアした後、領収書をカットして排出部４から排出する。
【００５１】
尚上記例では、購入商品を撮影する際、一度に全ての商品を撮影していたが、入力キー３からの置数入力やバーコード読み取り器によるバーコードの読み取りをトリガとして、１つの商品づつ撮影するようにしても良い。
また、購入商品を全て撮影していたが、特定の商品、例えば高額商品や予め定められた商品のみを撮影する構成としても良い。或いは返品や入力の訂正があった商品のみを撮影する構成としても良い。
【００５２】
更には、レシートにおいて、購入商品は明細データの背景として印刷されていたが、明細データが印刷された脇に画像を印刷する構成としても良い。
またレジ担当者の撮影処理は最初の置数入力を、購入商品の撮影処理は締めキーの入力を、顧客の撮影処理は領収書キーの入力をトリガとして自動的に開始されていたが、それぞれの画像を撮影する専門の入力キーを設け、そのキーが押下されるとキーに対応した撮影が行われる構成としても良い。
【００５３】
更に領収書やレシートに用いる画像を、特定条件、例えば任意に設定された金額以上の商品や任意に設定された特定の商品分類の商品の購入が行われたとき等を条件として、この条件を満たした場合に、撮影する構成としても良い。
またキャッシュレジスタが発行するのは、レシートや領収書のみに限らず他の各種証券書類に対して撮影画像を用いて発行しても良い。
【００５４】
更に、レシートや領収書を印刷物として発行していたが、電子データの形で発行しても良い。
【００５５】
【発明の効果】
本発明によれば、撮影画像を用いたレシートや領収書等を発行することができる。
またこのレシートや領収書には、購入した商品の画像が印刷されているので、顧客は後にどのような商品を購入したかが分かり易い。また、返品やレジの入力ミスの際にも間違いを容易に確認することが出来る。従って、顧客に対するより良いサービスを提供することができる。
【００５６】
更にレシート等の各種証券書類には処理を行ったレジ担当者を直前に写した画像が印刷されるので、証券書類に対する信頼性が向上し、またレジの不正使用などに対するセキュリティも向上する。
またこのレシート等の各種証券書類には、購入商品や顧客の画像が印刷されているので、顧客や店側のみならず第三者に対しても、取引の内容が明確になる。
【００５７】
更に、撮影の有無、画像の使用の有無を自由に選択することができるので、その目的に応じて、柔軟なレイアウトの各種証券書類を発行することができる。
【図面の簡単な説明】
【図１】本実施形態におけるキャッシュレジスタの外観を示す斜視図である。
【図２】キャッシュレジスタの内部構成を示すブロック図である。
【図３】印刷出力されるレシートの一例を示す図である。
【図４】（ａ）は撮影画像を用いた場合、（ｂ）は撮影画像を用いなかった場合の印刷出力される領収書の一例を示す図である。
【図５】メモリ領域の構成を示す図である。
【図６】レジ担当者を撮影する時の動作処理を示すフローチャートである。
【図７】レシートを印刷出力する時の動作処理を示すフローチャートである。
【図８】領収書を印刷出力する時の動作処理を示すフローチャートである。
【符号の説明】
１  キャッシュレジスタ
２ａ，２ｂ  表示部
３  入力キー
４  排出部
５  レシート
６  ドロアー
７ａ、７ｂ  撮影部
８  テーブル
９  購入商品
１０  ＣＰＵ
１１  印刷部
１２  ＲＯＭ
１３  ＲＡＭ
１４  入力部
１５  インタフェース
１６  バス
【図１】
2005018121.tif 000003
【図２】
2005018121.tif 000004
【図３】
2005018121.tif 000005
【図４】
2005018121.tif 000006
【図５】
2005018121.tif 000007
【図６】
2005018121.tif 000008
【図７】
2005018121.tif 000009
【図８】
2005018121.tif 000010